(57)【要約】      （修正有）【課題】天気に関する情報を、ユーザの生活態様に応じた適切なタイミングで簡易に、ユーザに提供することができる電子機器、電子機器の制御方法およびプログラムを提供する。【解決手段】電子機器１０は、音声出力部１１と、設定された時刻になると、アラームを鳴動させるとともに、天気に関する情報を音声出力部から音声出力させる制御部１５と、を備える。【選択図】図１
2018112412.tif 000002
【特許請求の範囲】
【請求項１】
アラームを鳴動する時刻を設定することが可能な電子機器であって、
音声出力部と、
前記設定された時刻になると、前記アラームを鳴動させるとともに、天気に関する情報を前記音声出力部から音声出力させる制御部と、を備える電子機器。
【請求項２】
前記制御部は、前記天気に関する情報を前記音声出力部から音声出力しない場合、第１の音量にて前記アラームを鳴動させ、前記天気に関する情報を前記音声出力部から音声出力する場合、前記第１の音量よりも小さい第２の音量にて前記アラームを鳴動させる、請求項１に記載の電子機器。
【請求項３】
前記制御部は、前記天気に関する情報に応じて、前記アラームを鳴動する時刻を制御する、請求項１または２に記載の電子機器。
【請求項４】
アラームを鳴動する時刻を設定することが可能な電子機器の制御方法であって、
前記設定された時刻になると、前記アラームを鳴動させるとともに、天気に関する情報を音声出力部から音声出力させる、電子機器の制御方法。
【請求項５】
アラームを鳴動する時刻を設定することが可能な電子機器内のコンピュータに、
前記設定された時刻になると、前記アラームを鳴動させるとともに、天気に関する情報を音声出力部から音声出力させる処理を実行させるプログラム。
【発明の詳細な説明】
【技術分野】
【０００１】
本発明は、電子機器、電子機器の制御方法およびプログラムに関する。
【背景技術】
【０００２】
特許文献１には、対応するサーバとの間で同期し、天気に関する情報を取得する天気アプリケーション（以下、単に「天気アプリ」ともいう）を備えた電子機器が開示されている。
【先行技術文献】
【特許文献】
【０００３】
【特許文献１】特開２０１４−４５４４９号公報
【発明の概要】
【発明が解決しようとする課題】
【０００４】
上述したような天気アプリが取得した天気に関する情報を、ユーザの生活態様に応じた適切なタイミングで簡易に、ユーザに提供することは有益である。
【０００５】
上記のような問題点に鑑みてなされた本開示の目的は、天気に関する情報を、ユーザの生活態様に応じた適切なタイミングで簡易に、ユーザに提供することができる電子機器、電子機器の制御方法およびプログラムを提供することにある。
【課題を解決するための手段】
【０００６】
一態様の電子機器は、アラームを鳴動する時刻を設定することが可能な電子機器であって、音声出力部と、前記設定された時刻になると、前記アラームを鳴動させるとともに、天気に関する情報を前記音声出力部から音声出力させる制御部と、を備える。
【０００７】
一態様の電子機器の制御方法は、アラームを鳴動する時刻を設定することが可能な電子機器の制御方法であって、前記設定された時刻になると、前記アラームを鳴動させるとともに、天気に関する情報を音声出力部から音声出力させる。
【０００８】
一態様のプログラムは、アラームを鳴動する時刻を設定することが可能な電子機器内のコンピュータに、前記設定された時刻になると、前記アラームを鳴動させるとともに、天気に関する情報を音声出力部から音声出力させる処理を実行させる。
【発明の効果】
【０００９】
本開示に係る電子機器、電子機器の制御方法およびプログラムによれば、天気に関する情報を、ユーザの生活態様に応じた適切なタイミングで簡易に、ユーザに提供することができる。
【図面の簡単な説明】
【００１０】
【図１】本開示の一実施形態に係る電子機器の概略構成を示す機能ブロック図である。
【図２】図１に示す表示部が表示するアラームの設定画面の一例を示す図である。
【図３】図１に示す表示部が表示する天気予報アラームの詳細設定画面の一例を示す図である。
【図４】図１に示す表示部が表示するアラームの鳴動時の画面の一例を示す図である。
【図５】図１に示す電子機器の動作例を示すフローチャートである。
【発明を実施するための形態】
【００１１】
以下、本発明を実施するための形態について、図面を参照しながら説明する。
【００１２】
図１は、本開示の一実施形態に係る電子機器１０の概略構成を示す機能ブロック図である。図１に示すように、本実施形態に係る電子機器１０は、音声出力部１１と、振動部１２と、表示部１３と、記憶部１４と、制御部１５とを備える。
【００１３】
音声出力部１１は、制御部１５の制御に従い、音を出力することで、ユーザなどに情報を報知する。音声出力部１１は、任意のスピーカなどで構成することができる。
【００１４】
振動部１２は、制御部１５の制御に従い、振動などを発生することで、ユーザなどに情報を報知する。振動部１２は、振動を発生するものであれば、例えば、偏心モータ、圧電素子（ピエゾ素子）、又はリニアバイブレータのような任意の部材で構成することができる。
【００１５】
表示部１３は、液晶ディスプレイ（Liquid Crystal Display）、有機ＥＬ（Organic Electro-Luminescence Panel）、または、無機ＥＬパネル（Inorganic Electro-Luminescence panel）などの表示デバイスを備える。表示部１３は、制御部１５の制御に従い、文字、画像、記号又は図形などを表示することで、ユーザなどに情報を報知する。表示部１３は、表示機能のみならず、タッチスクリーンの機能を含んでもよい。この場合、タッチスクリーンは、使用者の指またはスタイラスペンなどの接触を検出する。タッチスクリーンは、複数の指、または、スタイラスペンなどが接触した位置を検出することができる。タッチスクリーンの検出方式は、静電容量方式、抵抗膜方式、表面弾性波方式（又は超音波方式）、赤外線方式、電磁誘導方式、及び荷重検出方式等の任意の方式でよい。静電容量方式では、指、または、スタイラスペンなどの接触及び接近を検出することができる。
【００１６】
記憶部１４は、プログラムおよびデータを記憶する。記憶部１４は、制御部１５の処理結果を一時的に記憶する作業領域としても利用される。記憶部１４は、例えば、ＣＤ（登録商標）、ＤＶＤ（登録商標）、Ｂｌｕ−ｒａｙ（登録商標）などの光ディスク、光磁気ディスク、磁気記憶媒体、メモリカード、及びソリッドステート記憶媒体を少なくとも１つ含むが、これらに限定されない。記憶部１４は、メモリカード、光ディスク、または、光磁気ディスクなどの可搬の記憶媒体と、記憶媒体の読み取り装置との組み合わせを含んでよい。記憶部１４は、ＲＡＭ（Ｒａｎｄｏｍ  Ａｃｃｅｓｓ  Ｍｅｍｏｒｙ）などの一時的な記憶領域として利用される記憶デバイスを含んでよい。
【００１７】
記憶部１４が記憶するプログラムとしては、対応するサーバとの間で同期し、天気に関する情報を取得する天気アプリがある。
【００１８】
制御部１５は、電子機器１０全体を制御および管理するプロセッサを含む。制御部１５は、制御手順を規定したプログラムを実行するＣＰＵ（Central Processing Unit）などのプロセッサを含む。このようなプログラムは、例えば記憶部１４などの記憶媒体に格納される。
【００１９】
制御部１５は、例えば、音声出力部１１からの音声出力、および、振動部１２の振動などによりユーザへの報知（アラームを鳴動する）を行う時刻の設定を受け付ける。また、制御部１５は、例えば、設定されたアラームを鳴動する時刻になると、アラームを鳴動させる（音声出力部１１からの音声出力、または、振動部１２の振動など）とともに、天気アプリが取得した天気に関する情報を音声出力部１１から音声出力させる。
【００２０】
ここで、制御部１５は、アラーム機能と天気アプリとを連動させる（アラームの鳴動とともに、天気アプリが取得した天気に関する情報を音声出力させる）天気予報アラームの設定を受け付けることができる。以下では、天気予報アラームの設定の一例について、説明する。
【００２１】
図２は、表示部１３に表示されるアラームの設定画面２０の一例を示す図である。
【００２２】
図２に示すように、アラームの設定画面２０には、アラームを鳴動させる時刻（アラーム設定時刻）、アラームを鳴動させる曜日、アラームの鳴動時に音声出力部１１から出力させるアラーム音、および、アラームの鳴動時の振動部１２の振動パターンなどを設定するための画像２１が含まれる。さらに、アラームの設定画面２０には、天気予報アラームを有効とするか否かを設定するためのチェックボックス２２が含まれる。例えば、チェックボックスにチェックを付ける操作入力が行われると、天気予報アラームが有効となる。さらに、アラームの設定画面２０には、天気予報アラームの詳細を設定するための天気予報アラーム設定ボタン２３が含まれる。天気予報アラーム設定ボタン２３を選択する操作入力が行われると、天気予報アラームの詳細設定画面が表示部１３に表示される。
【００２３】
なお、制御部１５は、天気予報アラームを有効にする設定がされた場合に、天気アプリの初期設定が完了していない場合には、天気アプリの設定を完了するようにユーザに促す通知（例えば、表示部１３への表示）を行ってもよい。
【００２４】
図３は、表示部１３に表示される天気予報アラームの詳細設定画面３０の一例を示す図である。
【００２５】
図３に示すように、天気予報アラームの詳細設定画面３０には、アラームの鳴動時に天気アプリが取得した天気に関する情報を読み上げる（音声出力部１１から音声出力する）読み上げ設定を有効にするか否かを設定するためのチェックボックス３１が含まれる。また、天気予報アラームの詳細設定画面３０には、アラームを鳴動させる時刻を、天気アプリが取得した天気に関する情報に応じて、アラームの設定画面２０で設定された時刻（アラーム設定時刻）から調整する（早める或いは遅らせる）場合の調整量（アラーム設定時刻の調整量）を設定するための画像３２が含まれる。図３では、アラーム設定時刻の調整量は、３０分、６０分から調整できる例を示しているが、これに限られるものではない。アラーム設定時刻の調整量は、例えば、所定の時間単位（例えば、１５分単位）で設定されてもよい。
【００２６】
アラームを鳴動させる時刻になると、制御部１５は、アラームを鳴動させる。すなわち、制御部１５は、音声出力部１１に音声を出力させたり、振動部１２を振動させたりする。また、制御部１５は、アラームが鳴動中であることを示す画面を表示部１３に表示させる。
【００２７】
図４は、表示部１３に表示されるアラームの鳴動時の画面４０の一例を示す図である。
【００２８】
図４に示すように、アラームの鳴動時の画面４０には、アラームの鳴動時の時刻を示す画像４１が含まれる。また、アラームの鳴動時の画面４０には、アラームを所定時間だけ停止させる（一時的に停止させ、所定時間後に再度、鳴動させる）スヌーズボタン４２が含まれる。また、アラームの鳴動時の画面４０には、アラームを停止させる停止ボタン４３が含まれる。
【００２９】
スヌーズボタン４２を選択する操作入力が行われると、制御部１５は、アラームを所定時間だけ停止させ、一定時間内に停止ボタン４３を選択する操作入力が行われなければ、再度、アラームを鳴動させる。停止ボタン４３を選択する操作入力が行われると、制御部１５は、アラームを停止させる。
【００３０】
次に、本実施形態に係る電子機器１０の動作の一例について、図５に示すフローチャートを参照して説明する。
【００３１】
まず、制御部１５は、天気予報アラームが有効であるか否かを判定する（ステップＳ１０１）。天気予報アラームが有効であるか否かは、図２に示すチェックボックス２２へチェックを付ける操作入力が行われたか否かにより判定することができる。
【００３２】
天気予報アラームが有効でないと判定した場合には（ステップＳ１０１：Ｎｏ）、制御部１５は、アラームの設定画面２０で設定されたアラーム設定時刻になったか否かを判定する（ステップＳ１０２）。
【００３３】
アラーム設定時刻になっていないと判定した場合には（ステップＳ１０２：Ｎｏ）、制御部１５は、ステップＳ１０２の処理を繰り返す。
【００３４】
アラーム設定時刻になったと判定した場合には（ステップＳ１０２：Ｙｅｓ）、制御部１５は、アラームを鳴動させる（ステップＳ１０３）。具体的には、制御部１５は、音声出力部１１にアラームの設定画面２０で設定されたアラーム音を出力させたり、振動部１２をアラームの設定画面２０で設定された振動パターンで振動させたりする。
【００３５】
次に、制御部１５は、アラームを停止させる停止操作が行われたか否かを判定する（ステップＳ１０４）。具体的には、制御部１５は、図４に示すアラームの鳴動時の画面４０の停止ボタン４３を選択する操作入力が行われたか否かを判定する。
【００３６】
停止操作が行われていないと判定した場合には（ステップＳ１０４：Ｎｏ）、制御部１５は、アラームを鳴動させたまま、ステップＳ１０４の処理を繰り返す。ここで、制御部１５は、図４に示すアラームの鳴動時の画面４０のスヌーズボタン４２を選択する操作入力が行われると、所定時間だけアラームの鳴動を停止し、その間に停止操作が行わなければ、アラームを再度、鳴動させる。
【００３７】
停止操作が行われたと判定した場合には（ステップＳ１０４：Ｙｅｓ）、制御部１５は、アラームを停止し（ステップＳ１０５）、処理を終了する。
【００３８】
天気予報アラームが有効であると判定した場合には（ステップＳ１０１：Ｙｅｓ）、制御部１５は、図３に示す天気予報アラームの詳細設定画面３０に従い、アラーム設定時刻の調整量が設定されているか否かを判定する（ステップＳ１０６）。
【００３９】
アラーム設定時刻の調整量が設定されていると判定した場合には（ステップＳ１０６：Ｙｅｓ）、制御部１５は、設定された調整量に従いアラーム設定時刻を調整した時刻（調整後のアラーム設定時刻）になったか否かを判定する（ステップＳ１０７）。例えば、制御部１５は、アラーム設定時刻として午前７時が設定されており、アラーム設定時刻の調整量として、３０分早める設定がされている場合、午前７時よりも３０分早い、午前６時３０分を調整後のアラーム設定時刻とする。
【００４０】
調整後のアラーム設定時刻になっていないと判定した場合には（ステップＳ１０７：Ｎｏ）、制御部１５は、ステップＳ１０７の処理を繰り返す。
【００４１】
調整後のアラーム設定時刻になったと判定した場合には（ステップＳ１０７：Ｙｅｓ）、制御部１５は、天気アプリが取得した天気に関する情報に基づき、降水確率が５０％以上であるか否かを判定する（ステップＳ１０８）。天気アプリが取得した天気に関する情報は、制御部１５がサーバから定期的に取得して保持している情報であってもよいし、制御部１５が調整後のアラーム設定時刻になったことを契機にサーバから取得する最新の情報であってもよい。また、天気アプリが取得した天気に関する情報は、ユーザが設定するアラーム設定時刻（上記の例では午前７時）における天気に関する情報であってもよい。
【００４２】
降水確率が５０％以上であると判定した場合には（ステップＳ１０８：Ｙｅｓ）、制御部１５は、読み上げ設定が有効であるか否かを判定する（ステップＳ１０９）。読み上げ設定が有効であるか否かは、図３に示す天気予報アラームの詳細設定画面３０のチェックボックス３１へチェックを付ける操作入力が行われたか否かにより判定することができる。
【００４３】
読み上げ設定が有効でないと判定した場合には（ステップＳ１０９：Ｎｏ）、制御部１５は、天気アプリが取得した天気に関する情報を読み上げることなく、アラームを鳴動させる（ステップＳ１１０）。具体的には、制御部１５は、音声出力部１１にアラームの設定画面２０で設定されたアラーム音を出力させたり、振動部１２をアラームの設定画面２０で設定された振動パターンで振動させたりする。
【００４４】
次に、制御部１５は、アラームを停止させる停止操作が行われたか否かを判定する（ステップＳ１１１）。
【００４５】
停止操作が行われていないと判定した場合には（ステップＳ１１１：Ｎｏ）、制御部１５は、アラームを鳴動させたまま、ステップＳ１１１の処理を繰り返す。
【００４６】
停止操作が行われたと判定した場合には（ステップＳ１１１：Ｙｅｓ）、制御部１５は、アラームを停止し、天気アプリを起動させた後（ステップＳ１１２）、処理を終了する。
【００４７】
読み上げ設定が有効であると判定した場合には（ステップＳ１０９：Ｙｅｓ）、制御部１５は、アラームを鳴動させるとともに、天気アプリが取得した天気に関する情報を読み上げる（ステップＳ１１３）。具体的には、制御部１５は、音声出力部１１にアラームの設定画面２０で設定されたアラーム音を出力させるとともに、天気アプリが取得した天気に関する情報を音声出力させる。このように、本実施形態においては、制御部１５は、特定の天気の場合（図５に示す例では、降水確率が５０％以上の場合）には、アラーム設定時刻の調整量による調整後のアラーム設定時刻にアラームを鳴動させる。こうすることで、例えば、雨による混雑などが予想され、通常よりも早く出かける必要があるような場合に、通常のアラーム設定時刻よりも早くアラームを鳴動させ、天気に関する情報をユーザに提供することが可能となる。
【００４８】
次に、制御部１５は、アラームを停止させる停止操作が行われたか否かを判定する（ステップＳ１１４）。
【００４９】
停止操作が行われていないと判定した場合には（ステップＳ１１４：Ｎｏ）、制御部１５は、アラームを鳴動させたまま、ステップＳ１１４の処理を繰り返す。この場合、制御部１５は、天気に関する情報の読み上げを、停止操作が行われるまで、繰り返し行わせる。なお、制御部１５は、天気に関する情報の読み上げが一通り終わると、所定時間（例えば、３秒）だけ空けた後、天気に関する情報を再び読み上げるようにしてもよい。
【００５０】
また、制御部１５は、アラームを鳴動させるとともに、天気に関する情報を読み上げる場合、アラームのみを鳴動させる場合と比べて、アラームを鳴動させる音量を小さくしてもよい。すなわち、制御部１５は、天気に関する情報を音声出力部１１から音声出力しない場合、第１の音量にてアラームを鳴動させ、天気に関する情報を音声出力部１１から音声出力する場合、第１の音量よりも小さい第２の音量にてアラームを鳴動させてもよい。こうすることで、アラームを鳴動させるとともに、天気に関する情報を読み上げる場合に、ユーザが天気に関する情報を聞き取りやすくなる。
【００５１】
停止操作が行われたと判定した場合には（ステップＳ１１４：Ｙｅｓ）、制御部１５は、ステップＳ１１２の処理に進む。この場合、制御部１５は、天気に関する情報の読み上げを停止させる。
【００５２】
アラーム設定時刻の調整量が設定されていないと判定した場合（ステップＳ１０６：Ｎｏ）、および、降水確率が５０％以上でないと判定した場合には（ステップＳ１０８：Ｎｏ）、制御部１５は、アラーム設定時刻になったか否かを判定する（ステップＳ１１５）。
【００５３】
アラーム設定時刻になっていないと判定した場合には（ステップＳ１１５：Ｎｏ）、制御部１５は、ステップＳ１１５の処理を繰り返す。
【００５４】
アラーム設定時刻になったと判定した場合には（ステップＳ１１５：Ｙｅｓ）、制御部１５は、ステップＳ１０９の処理に進む。すなわち、制御部１５は、降水確率が５０％以上でない場合には、調整後のアラーム設定時刻ではなく、アラームの設定画面２０に従い設定されたアラーム設定時刻（元のアラーム設定時刻）にアラームを鳴動させる。
【００５５】
なお、制御部１５は、アラーム設定時刻の調整量による調整後のアラーム設定時刻にアラームを鳴動させる動作（ステップＳ１０９〜ステップＳ１１２）の後、動作をステップＳ１１２からステップＳ１１５に移しても良い。すなわち、制御部１５は、調整後のアラーム設定時刻（上記の例では午前６時３０分）にアラームを鳴動させた後に、元のアラーム設定時刻（上記の例では午前７時）にもアラームを鳴動させるようにしてもよい。
【００５６】
なお、図５においては、アラーム設定時刻の調整量が設定されている場合に、降水確率が５０％（所定値）以上であるか否かを、元のアラーム設定時刻にアラームを鳴動させるか、調整後のアラーム設定時刻にアラームを鳴動させるかの判定条件としたが、これに限られるものではない。例えば、判定条件としては、降水確率が所定値以下であるか否か、雪が降るという予報であるか否かなど、種々の条件を用いることが可能である。
【００５７】
また、例えば、晴れの場合には、アラーム設定時刻を３０分早め、雨あるいは雪の場合には、アラーム設定時刻を３０分遅らせるというように、天気に関する情報に応じて（天気毎に）、アラーム設定時刻の調整量を設定できるようにしてもよい。
【００５８】
このように本実施形態においては、電子機器１０は、音声出力部１１と、設定された時刻になると、アラームを鳴動させるとともに、天気に関する情報を音声出力部１１から音声出力させる制御部１５と、を備える。
【００５９】
起床予定の時刻などユーザが生活態様に応じて設定されたアラームの鳴動とともに、天気に関する情報を音声出力することで、天気に関する情報を、ユーザの生活態様に応じた適切なタイミングで簡易に、ユーザに提供することができる。
【００６０】
なお、特許文献１には、ユーザによる天気の問い合わせの音声入力に応じて、天気アプリが取得した天気に関する情報を音声出力する電子機器が記載されている。しかしながら、特許文献１に開示されている電子機器では、ユーザが天気の問い合わせの音声入力を行う必要が生じるため、天気に関する情報を、ユーザの生活態様に応じた適切なタイミングで簡易に、ユーザに提供することは困難である。
【００６１】
また、天気アプリの中には、ユーザにより設定された時刻になると、天気に関する情報をＢＧＭとともに音声出力するものもある。しかしながら、このような天気アプリは、電子機器が備えるアラーム機能と連動するものではない。そのため、アラームとは別に天気アプリ上での設定なども必要となり、ユーザの生活態様に応じた適切なタイミングで簡易に、ユーザに提供することは困難である。
【００６２】
実施形態では特に触れていないが、電子機器１０が行う各処理をコンピュータに実行させるプログラムが提供されてもよい。また、プログラムは、コンピュータ読取り可能媒体に記録されていてもよい。コンピュータ読取り可能媒体を用いれば、コンピュータにインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭなどの記録媒体であってもよい。
【００６３】
あるいは、電子機器１０が行う各処理を実行するためのプログラムは記憶するメモリおよびメモリに記憶されたプログラムを実行するプロセッサによって構成され、電子機器１０に搭載されるチップが提供されてもよい。
【００６４】
上述の実施形態は代表的な例として説明したが、本発明の趣旨および範囲内で、多くの変更および置換が可能であることは当業者に明らかである。したがって、本発明は、上述の実施形態によって制限するものと解するべきではなく、特許請求の範囲から逸脱することなく、種々の変形や変更が可能である。例えば、実施形態の構成図に記載の複数の構成ブロックを１つに組み合わせたり、あるいは１つの構成ブロックを分割したりすることが可能である。
【符号の説明】
【００６５】
１０    電子機器
１１    音声出力部
１２    振動部
１３    表示部
１４    記憶部
【図１】
2018112412.tif 000003
【図２】
2018112412.tif 000004
【図３】
2018112412.tif 000005
【図４】
2018112412.tif 000006
【図５】
2018112412.tif 000007
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
アラームを鳴動する時刻を設定することが可能な電子機器であって、
音声出力部と、
前記設定された時刻になると、前記アラームを鳴動させるとともに、当該アラームの鳴動時に天気に関する情報を前記音声出力部から音声出力させる制御部と、を備える電子機器。
【請求項２】
前記制御部は、前記アラームの鳴動時に前記天気に関する情報を前記音声出力部から音声出力しない場合、第１の音量にて前記アラームを鳴動させ、前記アラームの鳴動時に前記天気に関する情報を前記音声出力部から音声出力する場合、前記第１の音量よりも小さい第２の音量にて前記アラームを鳴動させる、請求項１に記載の電子機器。
【請求項３】
前記制御部は、前記天気に関する情報に応じて、前記アラームを鳴動する時刻を制御する、請求項１または２に記載の電子機器。
【請求項４】
前記制御部は、前記アラームを鳴動させてから当該アラームを停止させるまで、前記天気に関する情報を前記音声出力部から音声出力させる、請求項１から３のいずれか一項に記載の電子機器。
【請求項５】
前記制御部は、前記アラームを鳴動させてから当該アラームを停止させるまで、前記天気に関する情報を繰り返して、前記音声出力部から音声出力させる、請求項４に記載の電子機器。
【請求項６】
前記制御部は、前記アラームを鳴動させるとともに、前記天気に関する情報を音声出力させ、当該天気に関する情報を音声出力させた後に、前記アラームの停止操作があると、当該アラームを停止する、請求項１に記載の電子機器。
【請求項７】
アラームを鳴動する時刻を設定することが可能な電子機器の制御方法であって、
前記設定された時刻になると、前記アラームを鳴動させるとともに、当該アラームの鳴動時に天気に関する情報を音声出力部から音声出力させる、電子機器の制御方法。
【請求項８】
アラームを鳴動する時刻を設定することが可能な電子機器内のコンピュータに、
前記設定された時刻になると、前記アラームを鳴動させるとともに、当該アラームの鳴動時に天気に関する情報を音声出力部から音声出力させる処理を実行させるプログラム。
【手続補正２】
【補正対象書類名】明細書
【補正対象項目名】０００６
【補正方法】変更
【補正の内容】
【０００６】
一態様の電子機器は、アラームを鳴動する時刻を設定することが可能な電子機器であって、音声出力部と、前記設定された時刻になると、前記アラームを鳴動させるとともに、当該アラームの鳴動時に天気に関する情報を前記音声出力部から音声出力させる制御部と、を備える。
【手続補正３】
【補正対象書類名】明細書
【補正対象項目名】０００７
【補正方法】変更
【補正の内容】
【０００７】
一態様の電子機器の制御方法は、アラームを鳴動する時刻を設定することが可能な電子機器の制御方法であって、前記設定された時刻になると、前記アラームを鳴動させるとともに、当該アラームの鳴動時に天気に関する情報を音声出力部から音声出力させる。
【手続補正４】
【補正対象書類名】明細書
【補正対象項目名】０００８
【補正方法】変更
【補正の内容】
【０００８】
一態様のプログラムは、アラームを鳴動する時刻を設定することが可能な電子機器内のコンピュータに、前記設定された時刻になると、前記アラームを鳴動させるとともに、当該アラームの鳴動時に天気に関する情報を音声出力部から音声出力させる処理を実行させる。